(57)【要約】      （修正有）【課題】より低コストで、簡単に取り付け可能で、別の広告にも簡単に交換可能なトラック荷台用広告シートおよびそれを使用したトラック広告を提供する。【解決手段】本発明のトラック荷台用広告シートは、トラックの荷台に広告を掲載するためのトラック荷台用広告シートであって、本体シートと透明な表面シートからなり広告を入れ替え可能に挿入できる袋状になった２つの側面シート、該２つの側面シートを繋ぎトラックの荷台に固定するために長さ調節可能な複数の上部固定具６および前部固定具５、および側面シートをトラックの荷台下部で固定するための下部固定具７とからなり、軽量で取り扱いが容易であり、これにより、低コストでトラックに広告を掲示することができる。【選択図】  図４
2006201713.tif 000002
【特許請求の範囲】
【請求項１】
トラックの荷台に広告を掲載するためのトラック荷台用広告シートであって、本体シートと透明な表面シートからなり広告を入れ替え可能に挿入できる袋状になった２つの側面シート、該２つの側面シートを繋ぎトラックの荷台に固定するために長さ調節可能な複数の上部固定具および前部固定具、および側面シートをトラックの荷台下部で固定するための下部固定具とからなるトラック荷台用広告シート。
【請求項２】
前記表面シートと本体シートからなる側面シートにおいて、前記表面シートが分割され、複数の袋部を形成し、広告を分割して袋部に挿入することが可能なことを特徴とする請求項１に記載のトラック荷台用広告シート。
【請求項３】
前記２つの側面シートをトラック荷台の後部にて繋いで固定する後部固定具を有することを特徴とする請求項１または２に記載のトラック荷台用広告シート。
【請求項４】
前記下部固定具が、各側面シートの下部に設けられた固定用穴と、トラックの荷台の側面下端部に取り付けるトラック側固定具と、該トラック側固定具に設けられた固定用穴と、各側面シートの下部に設けられた固定用穴およびトラック側固定具に設けられた固定用穴に通されて結び合わされる固定ゴムとからなることを特徴とする請求項１から３のいずれかに記載のトラック荷台用広告シート。
【請求項５】
請求項１から４のいずれかに記載のトラック荷台用広告シートを、トラックの荷台に取り付け、トラック荷台用広告シートの側面シートの袋部に広告を入れたトラックを運転することにより宣伝することを特徴とするトラック広告。
【発明の詳細な説明】
【技術分野】
【０００１】
本発明は、トラックの荷台に広告を簡単に取替え可能に掲示するためのトラック荷台用広告シートおよびそれを使用したトラック広告に関する。
【背景技術】
【０００２】
従来トラックの荷台には、自社の宣伝のための広告やロゴがペイントあるいはカッティングシート、ステッカー等により掲示されていることが多い。また、トラック以外のバス等では広告の看板が貼り付けられたり、バス全面に広告を印刷したシートを貼り付けたラッピングバスを宣伝に利用するケースが増えてきている。
【０００３】
最近では、トラックの荷台を広告媒体として、利用する会社も出てきているが、その場合、上述のペイントやカッティングシート以外に、荷台側面にパネルを固定したり、フレームを固定して広告を掲示する方法がとられている。
【発明の開示】
【発明が解決しようとする課題】
【０００４】
歩行者や車のドライバーへのアピール効果が高いトラックの荷台を利用した広告がこれからも増えてくる可能性が高いが、従来の広告掲載方法には様々な問題点がある。
【０００５】
従来のペインによる広告の場合は、ペイントする間はトラックが使用できなくなり、コストは非常に高いといった問題点があり、また、従来のトラックの側面に凹凸のある場合は、ペイントが綺麗には見えないといった問題点がある。そして、別の広告に交換するには、前回の広告のペイントを剥がし、あらたにペイントし直す必要があり、簡単に交換はできない。
【０００６】
カッティングシートを使用する場合は、ペイントよりも施工時間が短くなるが、専門業者によりシートの印刷、貼り付けが必要であり、その分コストも高くなる。また、ペイントに較べると、別の広告に交換する場合も、少しは簡単であるが、やはり、時間とコストがかなりかかる。
【０００７】
荷台側面にパネルやフレームを取り付ける場合は、初めにパネルやフレームを取り付けるのに手間とコストはかかるが、別の広告に交換する場合は、ペイントやカッティングシートと比較すると、割と簡単に交換可能になっているものが多い。しかし、最初のパネルやフレームの取り付けの際に、トラックに専用の金具等を取り付けるための加工が必要であったり、初めに取り付けるフレームやパネルが高価であったりする。
【０００８】
本発明は、上記問題を解決するために、より低コストで、簡単に取り付け可能で、別の広告にも簡単に交換可能なトラック荷台用広告シートおよびそれを使用したトラック広告を提供することを目的とする。
【課題を解決するための手段】
【０００９】
本発明のトラック荷台用広告シートは、本体シートと透明な表面シートからなり広告を入れ替え可能に挿入できる袋状になった２つの側面シート、該２つの側面シートを繋ぎトラックの荷台に固定するために長さ調節可能な複数の上部固定具および前部固定具、および側面シートをトラックの荷台下部で固定するための下部固定具とからなることを特徴とする。
【００１０】
本発明のトラック荷台用広告シートは、前記表面シートと本体シートからなる側面シートにおいて、前記表面シートが分割され、複数の袋部を形成し、広告を分割して袋部に挿入することが可能なことが好ましい。
【００１１】
さらに、前記２つの側面シートをトラック荷台の後部にて繋いで固定する後部固定具を有することが好ましい。
【００１２】
さらに、前記下部固定具が、各側面シートの下部に設けられた固定用穴と、トラックの荷台の側面下端部に取り付けるトラック側固定具と、該トラック側固定具に設けられた固定用穴と、各側面シートの下部に設けられた固定用穴およびトラック側固定具に設けられた固定用穴に通されて結び合わされる固定ゴムとからなることが好ましい。
【００１３】
また、本発明のトラック広告は、上述のトラック荷台用広告シートを、トラックの荷台に取り付け、トラック荷台用広告シートの側面シートの袋部に広告を入れたトラックを運転することにより宣伝することを特徴とする。
【発明の効果】
【００１４】
本発明のトラック荷台用広告シートは、本体シートと透明な表面シートからなり広告を入れ替え可能に挿入できる袋状になった２つの側面シート、該２つの側面シートを繋ぎトラックの荷台に固定するために長さ調節可能な複数の上部固定具および前部固定具、および側面シートをトラックの荷台下部で固定するための下部固定具とからなるので、軽量で取り扱いが容易であり、低コストでトラックに広告を掲示することができる。
【００１５】
また、本発明のトラック荷台用広告シートは、前記表面シートと本体シートからなる側面シートにおいて、前記表面シートが分割され、複数の袋部を形成し、広告を分割して袋部に挿入することが可能なので、大きな広告を分割して印刷すれば良いので、コストが低くなり、交換の際にも、より簡単に交換できるようになる。
【００１６】
さらに、前記２つの側面シートをトラック荷台の後部にて繋いで固定する後部固定具を有するので、トラックの荷台へシートをより確実に固定することができる。
【００１７】
さらに、前記下部固定具が、各側面シートの下部に設けられた固定用穴と、トラックの荷台の側面下端部に取り付けるトラック側固定具と、該トラック側固定具に設けられた固定用穴と、各側面シートの下部に設けられた固定用穴およびトラック側固定具に設けられた固定用穴に通されて結び合わされる固定ゴムとからなるので、トラック自体に加工すること無く、トラック荷台用広告シートを確実に固定することができる。
【００１８】
また、本発明のトラック広告は、上述のトラック荷台用広告シートを、トラックの荷台に取り付け、トラック荷台用広告シートの側面シートの袋部に広告を入れたトラックを運転することにより宣伝できるので、より簡単に、そして低コストでトラック広告が行え、また、新しい広告に入れ替えや、時と場所に応じて広告を交換することが、誰でも簡単に行える。
【発明を実施するための最良の形態】
【００１９】
以下に、図を用いて本発明のトラック荷台用広告シート１およびそれを使用したトラック広告について説明する。
【００２０】
まず、図２を用いて、本発明のトラック荷台用広告シート１を説明する。
【００２１】
図２は、トラック荷台用広告シート１を広げた状態を示している。まず、トラック荷台用広告シート１の本体となる本体シート４は、ポリエチレンのシートであり、荷台の両面に広告９を掲載するために２つに分かれている。本体シート１の材質に関しては、特に限定するものではないが、トラック１０に取り付けて使用するので、耐久性があり、かつ取り扱いが便利な軽量な素材であることが望ましい。
【００２２】
各本体シート４は、トラック１０の荷台の一側面を覆う大きさを有し、さらに、トラック１０の荷台の天井と前面部にまではみ出す大きさを有している。このはみ出した部分は、トラック１０に固定する際に安定して取り付けるために設けられている。
【００２３】
本体シート４には、それぞれ透明な表面シート３が３枚ずつ取り付けら袋部を形成している。本実施形態では、広告９を３分割して掲載する場合について説明しているが、この分割数は、トラック１０の荷台の大きさ等に合わせて変更可能であり、分割しなくても良い。ただし、広告９の交換作業や、掲載する広告９の大きさを考えると３分割前後が適当である。
【００２４】
３枚の表面シート３は、ＰＰシート（ポリ塩化ビニールシート）やＰＰシート（ポリプロピレンシート）等の透明なシートを使用する。特にこれに限定するものではいないが、広告が見やすいように透明性が高く、屋外での耐久性の高い材質が好ましい。
【００２５】
３枚の表面シート３は、本体シート４に縫製又は接着等の手段を使用して固定されるが、この時、矩形の表面シート３の３辺を固定し袋状にする。この３辺は、表面シート３の上辺、下辺、及び縦辺の１辺であり、縦辺はどちらでもよいが、広告９の出し入れを考えて、トラック１０にトラック荷台用広告シート１を取り付けた時にトラックの前側となる縦辺を固定する。これにより、広告９は、表面シート３の縦辺の後ろ側から出し入れが可能となる。
【００２６】
このようにして、本体シート４に表面シート３を取りつけたものが、２つの側面シート２となる。表面シート３の固定していない縦辺には、中に入れた広告が出ないように、ファスナーやボタン等により閉じることができるようにしてもよい。
【００２７】
側面シート２には、さらに、上部固定具６、前部固定具５、後部固定具８、および下部固定具７を取り付ける。
【００２８】
本実施形態では、上部固定具６、前部固定具５、および後部固定具８にベルトを使用した場合について説明する。各固定具は、ベルトに限定するものではないが、トラックの大きさに合わせて、固定具の長さが調節可能なものが好ましく、ロープやゴムバンド等による固定でも可能である。
【００２９】
上部固定具６として、各側面シート２の上端部に、各５本のベルト６２が取り付けられ、図３に示すように、トラック１０の荷台の頂部でこのベルト６２がバックル６１により締結され、上部固定具６の長さがトラック１０の荷台の大きさに合わせて調節される。
【００３０】
前部固定具５として、各側面シート２のトラック１０の前側になる端部に、各３本のベルト５２が取り付けられ、図４に示すように、トラック１０の荷台の前面でこのベルト５２がバックル５１により締結され、前部固定具５の長さがトラック１０の荷台の大きさに合わせて調節される。
【００３１】
後部固定具８として、各側面シート２のトラック１０の後側になる端部に、各上下２本のベルト８２が取り付けられ、図３に示すように、トラック１０の荷台の後面でこのベルト８２がバックル８１により締結され、前部固定具８の長さがトラック１０の荷台の大きさに合わせて調節される。トラック１０の荷台の後部には荷物を出し入れする扉があるので、前記ベルト８２は扉の開閉に邪魔にならない位置で上下２箇所に取り付けなければならない。前記固定具８が扉の位置等の関係で取り付けできない場合でも、トラック荷台用広告シート１は、前記上部固定具６、前部固定具５、および下部固定具７により、トラック１０に十分に固定可能である。
【００３２】
図５に示すように、下部固定具７は、各側面シート２の下部に設けられた固定用穴７１と、トラック荷台の側面下端部に取り付けるトラック側固定具７２と、トラック側固定具７２に設けられた固定用穴７３と、固定ゴム７４からなる。
【００３３】
前記固定用穴７１は、各下部固定具７に、２箇所設けられ、シートに穴をあけてアルミニウムのハトメで補強されており、固定ゴム７４が通される。
【００３４】
前記トラック側固定具７２は、プレートをＪ字形状に折り曲げられ、２箇所の固定用穴７３が設けられている。
【００３５】
トラック側固定具７２は、固定用穴７３に前記固定ゴム７４を通して、固定ゴム７４を結び合わせることにより、側面シート２と弾性的に結合された状態で、トラック１０の荷台の下端部に取り付けられる。この時、トラック側固定具７２は、Ｊ字形状を有するので、トラック１０の荷台の下端部に引っ掛けて取り付けられ、固定ゴム７４の弾性力により側面シート２を固定することができる。
【００３６】
側面シート２の下端部は、袋状になっており、棒１１を入れるようになっている。側面シート２は、素材がシートであるため、取り付け時、また使用中にしわが寄ってくる可能性があるので、前記棒１１を側面シート２の下端部に挿入することにより、側面シート２を平坦な状態に保つことができる。
【００３７】
これまで、本発明のトラック荷台用広告シート１の構造について述べてきたが、次に、トラック１０の荷台にトラック荷台用広告シート１を取り付ける方法について説明する。
【００３８】
各固定具が取り付けられ、棒１１が挿入された２つの側面シートを、ベルト６２をバックル６１にて締結し、繋ぎ合わせる。この時、ベルト６２の長さはトラック１０の荷台の幅に仮合わせしておく。
【００３９】
そして、ベルト５２およびベルト８２は締結せずにそのままの状態で、トラック荷台用広告シート１を、トラック１０の荷台に被せる。
【００４０】
トラック荷台用広告シート１をトラック１０の荷台に被せたら、トラック側固定具７２をトラック１０の荷台下端部に取り付け、トラック荷台用広告シート１をトラック１０の荷台にフィットさせるが、その時、ベルト６２の長さの調節が必要であれば、調節を行う。
【００４１】
次に、図４に示すように、トラック１０の荷台の前面で、ベルト５２をバックル５１で締結し、トラック荷台用広告シート１を固定する。さらに、図３に示すように、ベルト８２をバックル８１で締結する。
【００４２】
このようにして、トラック荷台用広告シート１をトラック１０の荷台に固定したら、３分割された広告９を表面シート３の固定されていない縦辺の所から袋部に挿入し、広告９を掲示する。
【００４３】
このようにして、図１に示すような荷台に広告９を掲示したトラック１０が街中を走り、宣伝を行う。宣伝効果を高めるためには、トラックの走るルート等を考慮した、広告の選択が必要となる。例えば、一定の地域しか走らないトラックと長距離トラックでは、宣伝の効果は全く異なる。また、トラックの走る時間や曜日によっても宣伝効果が大きく異なってくるので、そういった要素を考量して、どのトラックに何の広告を掲示するかということを十分に検討して上で、掲示する広告を選択していく必要がある。
【００４４】
本発明によるトラック荷台用広告シート１は、上述の構造により、トラック１０自体には、何も加工することなく、トラック１０の荷台に広告９を掲載可能となる。また、軽量で取り扱いが容易となり、必要に応じて、特に工具等を使用せずに簡単に取り付け取り外しが可能となるので、誰にでも簡単に取り付け取り外しが可能となる。
【００４５】
また、新しい広告に交換する際も、広告を入れ替えるだけで済むので、簡単に素早く交換可能である。したがって、広告９が紙等の折り曲げ可能なものに印刷したものであれば、トラック１０に複数の広告９を積んでおき、曜日や時間、または走る地域によって、広告を入れ替えることが可能であり、より効果的な広告が可能となる。
【００４６】
広告９は、紙、シートまたはパネルに印刷したものなど、側面シート２に入れることが可能であれば、材質また形状も任意で選択可能であり、表面に多少の凹凸があっても使用できるので、より立体的な広告でも可能であり、広告の目的に応じた広告９を選択することにより、より広告の効果がアップする。
【００４７】
以上、本発明のトラック荷台用広告シートおよびそれを使用した広告について述べてきたが、その材質や、部材の形状および大きさ等については、特に限定するものではなく、本発明の範囲内で選択可能である。
【図面の簡単な説明】
【００４８】
【図１】本発明のトラック荷台用広告シートをトラックに取り付けて広告を掲示している状態を示す斜視図。
【図２】本発明のトラック荷台用広告シートを広げた状態の平面図。
【図３】本発明のトラック荷台用広告シートを取りつけたトラックの荷台の後方からの斜視図。
【図４】本発明のトラック荷台用広告シートを取りつけたトラックの荷台の前方からの斜視図。
【図５】図３のＡ部に示す下部固定具の詳細図。
【符号の説明】
【００４９】
１    トラック荷台用広告シート
２    側面シート
３    表面シート
４    本体シート
５    前部固定具
６    上部固定具
７    下部固定具
８    後部固定具
９    広告
１０  トラック
１１  棒
５１  バックル
５２  ベルト
６１  バックル
６２  ベルト
７１  固定用穴
７２  トラック側固定具
７３  固定用穴
７４  固定ゴム
８１  バックル
８２  ベルト
【図１】
2006201713.tif 000003
【図２】
2006201713.tif 000004
【図３】
2006201713.tif 000005
【図４】
2006201713.tif 000006
【図５】
2006201713.tif 000007